(57)【要約】      （修正有）【課題】管理が簡単でランニングコストの低いＨＨＯガス式爆音器を提供する。【解決手段】水の電気分解による水素、酸素の混合ガス（以下ＨＨＯガス６という）発生装置３を備えた電解槽２と、点火部７及び点火装置８を備える電解槽２と直結した燃焼室１とを有する。【選択図】図１
0003219422.tif 000002
【実用新案登録請求の範囲】
【請求項１】
水の電気分解による水素、酸素の混合ガス（以下ＨＨＯガスという）発生装置を備えた電解槽と、
前記電解槽と直結した、点火部及び点火装置を備える燃焼室とを
有することを特徴とするＨＨＯガス式爆音器。
【請求項２】
前記電解槽の電解質溶液に発泡性電解質溶液を用いる
ことを特徴とする請求項１のＨＨＯガス式爆音器。
【請求項３】
前記電解槽の水嵩を維持しうる給水タンクを備える
ことを特徴とする請求項１請求項２のＨＨＯガス式爆音器。
【請求項４】
受信機やタイマーなどによる、前期ＨＨＯガス発生装置及び前記点火装置の動作タイミング等を制御するコントロール部と、
前期ＨＨＯガス発生装置及び前記点火装置への電力を供給し得る蓄電池及び発電装置を有することを特徴とする請求項１請求項２又は請求項３のＨＨＯガス式爆音器。
【請求項５】
前期燃焼室と外部とをつなぐ通気口及び共鳴管を
有することを特徴とする請求項１請求項２請求項３又は請求項４のＨＨＯガス式爆音器。
【考案の詳細な説明】
【技術分野】
【０００１】  本考案は、ＨＨＯガス式爆音器に関するものである。
【背景技術】
【０００２】  農林水産業において、いかに鳥獣の害を防ぐがというのが、古くよりの農林水産業従事者の関心事であった。特に、近年、野生鳥獣による農林水産業被害が深刻化・広域化している。【０００３】  鳥獣害対策の機器として、主流は管理地の周囲の囲いに高電圧を流し害獣の侵入を阻む電気柵であるが、鳥類の忌避において、現在でも大きな音で動物を忌避する、爆音器が有効に使用されている。【０００４】  しかしながら、現行の爆音器に関し、燃料ガス、薬品、火薬などの燃料補充や、燃料の危険物としての管理が不可欠でありランニングコストもかかるものである。
【考案の概要】
【考案が解決しようとする課題】
【０００５】  本考案は、管理が簡単でランニングコストの低い爆音器を提供することにある。
【課題を解決するための手段】
【０００６】  請求項１の考案は、電解槽２により得られる、水の電気分解による水素、酸素の混合ガス（以下ＨＨＯガスという）を用い、前記ＨＨＯガスに点火し、燃焼に伴う爆音を発生させる
装置である。【０００７】  請求項２の考案は、前記電解槽２の電解溶液に発泡性電解水溶液を用いることにより、前記ＨＨＯガス発生装置３から発生されたＨＨＯガスを泡の内部に封入する
装置である。【０００８】  請求項３の考案は、前記電解槽２に給水タンク５を備え、水嵩を維持しうる
装置である。【０００９】  請求項４の考案は、受信機１１やタイマーなどによる、前期ＨＨＯガス発生装置３及び点火装置８の動作タイミング等を制御するコントロール部１０と、前期ＨＨＯガス発生装３置及び前記点火装置８への電力を供給し得る蓄電池１２及び発電装置１３を有し、自動で動作しうる
装置である。【００１０】  請求項５の考案は、前期燃焼室１と外部とをつなぐ通気口及び共鳴管９を有することにより、より効率的に大きな音を発する
装置である。
【考案の効果】
【００１１】  上述の様に、請求項１の考案は、ＨＨＯガス式爆音器はＨＨＯガス６の燃焼に伴う爆音を利用するので、従来の爆音器に用いるような前記燃料ガス、薬品、火薬などを必要とせず、水と電気だけで同様の動物駆逐効果を得ることができ得る。【００１２】  請求項２の考案は、前記ＨＨＯガス発生装置３から発生されたＨＨＯガス６を泡の内部に封入するのでＨＨＯガス６の拡散を留め、効率的にＨＨＯガス６への着火を促す役割を果たす。【００１３】  請求項３の考案は、前記電解槽２に給水タンク５を備え、水嵩を長期間維持しメンテナンスの頻度を著しく軽減することができる。【００１４】  請求項４の考案は、受信機１１やタイマーなどによる、前期ＨＨＯガス発生装置３及び前記点火装置８の動作タイミング等を制御するコントロール部１０と、前期ＨＨＯガス発生装置３及び前記点火装置８への電力を供給し得る蓄電池１２及び発電装置１３を有し独立動作しうるので、設置場所に困ることもなくより効率的に駆逐効果を得ることができ得る。【００１５】  請求項５の考案は、前期燃焼室１と外部とをつなぐ通気口及び共鳴管９を有することにより、より効率的に大きな音を発するので、こちらも駆逐効果を向上することができ得る。
【図面の簡単な説明】
【００１６】
【図１】図１はＨＨＯガス式爆音器を例示し内部を可視化した説明図である。（実施例１）
【実施例１】
【００１７】  図１は、本考案装置の一実施例の図であって、水の電気分解による水素、酸素の混合ガス（以下ＨＨＯガス６という）発生装置を備えた電解槽２と、点火部７及び点火装置８を備える前記電解槽２と直結した燃焼室１を有し、前記電解槽２の水嵩を維持しうる給水タンク５と、前期ＨＨＯガス発生装置３及び前記点火装置８の動作タイミング等を制御するコントロール部１０と、前期ＨＨＯガス発生装置３及び前記点火装置８の電力を供給し得る蓄電池１２及び発電装置１３と、前期燃焼室１と外部とをつなぐ通気口及び共鳴管９とを備え、前記電解槽２の電解質溶液に発泡性電解質溶液を用いる。【００１８】  前記発泡性電解水溶液とは、水に洗剤などの発泡性の物質を配合したものであり、前記ＨＨＯガス発生装置３より発生したＨＨＯガス６を泡の内部に封入し、ＨＨＯガス６の拡散を留め、効率的にＨＨＯガス６への着火を促す役割を果たす。【００１９】  前記コントロール部１０には、無線の外部入力等を設け、他の感知部などと連動し、自動で動作しうる機構を含むことも出来得る。【００２０】  前記通気口及び共鳴管９は、爆音の拡大、伝播に寄与し、駆逐効果を向上することができ得る【００２１】  前期受信部により得た動作信号により、前記コントロール部１０が前記ＨＨＯガス発生装置３を動作させ、燃焼室１内にＨＨＯガス６の気泡を発生させる。そして、前記コントロール部１０により前記点火装置８を動作させ、燃焼室１内のＨＨＯガス６の気泡に点火し、爆音を発生させるものである。
【符号の説明】
【００２２】１    燃焼室
２    電解槽
３    ＨＨＯガス発生装置
４    発泡性電解質水溶液
５    給水タンク
６    ＨＨＯガス
７    点火部
８    点火装置
９    通気口及び共鳴管
１０  コントロール部
１１  受信機
１２  蓄電池
１３  発電装置
【図１】
0003219422.tif 000003
【手続補正書】
【提出日】平成30年10月24日(2018.10.24)
【手続補正１】
【補正対象書類名】実用新案登録請求の範囲
【補正対象項目名】全文
【補正方法】変更
【補正の内容】
【実用新案登録請求の範囲】
【請求項１】
水の電気分解による水素、酸素の混合ガス（以下ＨＨＯガスという）発生装置を備えた電解槽と、
前記電解槽と直結した、点火部及び点火装置を備える燃焼室とを
有することを特徴とするＨＨＯガス式爆音器。
【請求項２】
前記電解槽の電解質溶液に発泡性電解質溶液を用いる
ことを特徴とする請求項１のＨＨＯガス式爆音器。
【請求項３】
前記電解槽の水嵩を維持しうる給水タンクを備える
ことを特徴とする請求項１または請求項２のＨＨＯガス式爆音器。
【請求項４】
受信機やタイマーによる、前期ＨＨＯガス発生装置及び前記点火装置の動作タイミングを制御するコントロール部と、
前期ＨＨＯガス発生装置及び前記点火装置への電力を供給し得る蓄電池及び発電装置を
有することを特徴とする請求項１請求項２又は請求項３のＨＨＯガス式爆音器。
【請求項５】
前期燃焼室と外部とをつなぐ通気口及び共鳴管を
有することを特徴とする請求項１請求項２請求項３又は請求項４のＨＨＯガス式爆音器。